(57)【要約】【課題】【解決手段】フットベッド２０とこのフットベッド２０から取り外し可能に取着されるインソール９０とを有する履物集合体１０。この履物集合体１０は、実質的に可撓性のある前部３０とこの前部３０に接続された後部４０とを含んでいる。この後部４０は、少なくとも１つのキャビティ７０を含んだ実質的に硬いユニット６０を備える。このキャビティ７０は、クッション材７６の層をこの中に収容するように適用されている。【選択図】図１
2005502400.tif 000002
【特許請求の範囲】
【請求項１】
実質的に可撓性のある前部並びに後部を有し、この後部は、少なくとも１つのキャビティが形成された実質的に硬いユニットを有し、前記キャビティは、この中にクッション材の層を収容する、フットベッドと、
前部領域と踵領域とを有し、前記キャビティへの容易なアクセスをするように、前記フットベッドに取り外し可能に取着されるインソールと、
前記少なくとも1つのキャビティ内で一致するか垂直にアラインメントされるように、前記インソールに取着されるクッション材の複数の層とを具備する履物集合体。
【請求項２】
前記実質的に硬いユニットは、多孔性の気泡構造を有する請求項１の履物集合体。
【請求項３】
前記実質的に硬いユニットは、木で作られている請求項１の履物集合体。
【請求項４】
前記可撓性のある前部は、合成プラスチック材で作られている請求項１の履物集合体。
【請求項５】
前記クッション材の層は、湾曲している請求項１の履物集合体。
【請求項６】
前記クッション材の層は、複数のクッション材の層である請求項１の履物集合体。
【請求項７】
前記複数の層は、少なくとも１つの凸状の上層と少なくとも１つの下層とを有し、この上層は、負荷に応じて変形可能であり、前記下層は、前記少なくとも１つの上層の幅よりも小さい幅を有し、前記下層と前記上層とは、合成プラスチックと、ポリウレタンと、皮と、発泡材と、エチレン酢酸ビニルと、ゴムと、熱可塑性物質とから成るグループから選ばれた材料で作られている、請求項６の履物集合体。
【請求項８】
前記クッション材の層は、エチレン酢酸ビニルである請求項１の履物集合体。
【請求項９】
前記インソールは、セルロースファイバーボード層を有する請求項１の履物集合体。
【請求項１０】
前記インソールはまた、前記セルロースファイバーボード層に隣接して位置付けられる、中間のクッション層を有する請求項９の履物集合体。
【請求項１１】
前記インソールはまた、前記中間のクッション層に隣接した発泡体層を有する請求項１０の履物集合体。
【請求項１２】
前記インソールはまた、前記発泡体層に隣接したソックライナーを有する請求項1の履物集合体。
【請求項１３】
前記セルロースファイバーボード層は、前記少なくとも１つのキャビティにアラインメントされるカットアウトを有する請求項９の履物集合体。
【請求項１４】
前記中間のクッション層は、前記少なくとも１つのキャビティにアラインメントされるインサートを有する請求項１０の履物集合体。
【請求項１５】
前記インソールは、ソックライナーを有する請求項１の履物集合体。
【請求項１６】
前記ソックライナーは、微孔性のプラスチック材を含んでいる請求項１５の履物集合体。
【請求項１７】
前記微孔性の材料は、ＰＯＲＯＮである請求項１６の履物集合体。
【請求項１８】
前記履物集合体は、靴である請求項１の履物集合体。
【請求項１９】
前記前部は、クッション材を内部に含んでいる前部キャビティを有する請求項１の履物集合体。
【請求項２０】
実質的に可撓性のある前部と後部とを有し、この後部は、キャビティが形成された実質的に硬いユニットを有し、この硬いユニットは、木であり、前記キャビティは、この中にクッション材の層を収容する、フットベッドと、
前部領域と踵領域とを有し、前記キャビティへの容易なアクセスをするように、前記フットベッドに取り外し可能に取着されるインソールと、
ソックライナーと、
クッション材の複数の層とを具備し、前記複数の層は前記インソールに取着され、前記複数の層は凸状の上層と下層とを有し、前記下層は、前記複数の層の夫々の幅よりも小さい幅を有し、前記上層は、前記複数の層の上層の上に配置される少なくとも1つのエラストマーのセルロースファイバーボード材で形成されており、前記複数の層は、前記キャビティ内で一致するか垂直にアラインメントされる、履物集合体。
【発明の詳細な説明】
【技術分野】
【０００１】
本発明は、衝撃吸収する履物に関する。特に、本発明は、１つ以上の吸収材を収容するためのキャビティを含む実質的に硬いユニットを備えているフットベッドを有する履物集合体に関する。
【背景技術】
【０００２】
米国特許Ｎｏ.４，５１０，７０２は、実質的に硬い後部と可撓性のある前部とを有する靴のソールを対象としている。これらの部分は、おおよそふくらみの部分で接続されている。
【０００３】
米国特許Ｎｏ.４，９１８，８３８は、圧縮性のショックアブゾーバーを有するソールを対象としている。このショックアブゾーバーは、靴の前足部分の多角形の窪みに設置されている多角形の取り替え可能なエアベローズ、並びに靴の踵領域の円形の窪みに設置されている円筒形の取り替え可能なエアシリンダーである。
【０００４】
米国特許５，０８６，５７４は、スポーツシューズのインソール材よりも柔らかくて弾力のある可撓性のエラストマー材の中空のハウジングを有するスポーツシューズに適用される衝撃緩衝システムを備えているソールを対象としている。この中空のハウジングは、靴の踵領域のキャビティ中に取り外し可能に設置されている。更に、このディスクの溝と係合するように下方に延びたピンと、このハウジングの下端に存在する周辺フランジとを有するカバーによって、1つ以上の取り外し可能な緩衝ディスクが、このハウジング内に挿入され、ここに支持されている。
【０００５】
米国特許Ｎｏ.５，６８９，９０２は、クッションブロックを靴の踵部分に取着させるために、この踵部分内に窪みを有するアウトソールを備えた履物を対象としている。このクッションブロックは、平坦な表面と弓状の表面とを有し、この平坦な表面の反対側には、複数の一体的な硬いノブを有している。このクッションブロックは、この履物が、通常の靴、運動靴、またはマッサージシューズとして使用されることが可能なように、アウトソールの窪み内に、取り外し可能に収容されている。
【０００６】
米国特許Ｎｏ.６，０５０，００１は、つま先部分を有するアウトソールと、ヒールと、踵部分にあるキャビティとを有している衝撃吸収靴を対象としている。エラストマーの衝撃吸収プラグが、踵部分のキャビティに存在している。このプラグは、突出した中央部分と、外側の境界部と、この突出した中央部分を外側境界部から隔てている環状の窪みとを有している平らな上面と下面とを備えている。更に、弾力のある多密なエラストマーのインサートが存在する。
【０００７】
米国特許Ｎｏ.６,１４５,２２０は、踵領域の開口内に、鋲が避けるように鋲打ち模様が選択されている、改良されたクッション性の履物を対象としている。土ふまず部分はまた、この踵部分の開口の踵用クッション部材の挿入の妨げにならないように設計されている。
【発明の開示】
【発明が解決しようとする課題】
【０００８】
適切な衝撃吸収材は、入手が比較的容易であるかもしれないが、今までは、比較的重く、はき心地の悪い構造のものを要し、そして/もしくはこれを提供してきた。
【課題を解決するための手段】
【０００９】
本発明は、はき心地が良くて軽量な衝撃吸収履物を提供することによって、流通している履物の課題を克服する。本発明はまた、この他の効果についても提供しており、これらは、下記に説明されるように明らかになるであろう。
【発明の効果】
【００１０】
本発明の目的は、はき心地が良く、軽量で衝撃吸収効果のある履物集合体を提供することである。
【００１１】
本発明のこの他の目的は、クッション材の層を収容するためのキャビティを形成している、実質的に硬いユニットを有するフットベッドを備えているような履物集合体を提供することである。
【００１２】
更に、本発明のこの他の目的は、この実質的に硬いユニットが、フットベッドの後部に存在するような履物集合体を提供することである。
【００１３】
そして更に、本発明のこの他の目的は、このキャビティに容易にアクセス出来るよう、このフットベッドに取り外し可能に取着されるインソールを有するような、履物集合体を提供することである。
【００１４】
更に、本発明のこの他の目的は、確実に、そして安価に製造可能な衝撃吸収履物集合体を提供することである。
【００１５】
本発明の上記の目的とこの他の目的と効果とは、実質的に可撓性のある前部、並びにこの前部に接続された後部を有するフットベッドを備えた履物集合体によって得られる。このフットベッドは、この内部にキャビティを含んだ実質的に硬いユニットを有している。このキャビティは、クッション材を収容するために適用される。この履物集合体は、好ましくは、このフットベッドに取り外し可能に取着されるインソールを更に具備している。
【００１６】
本発明のこの他の更なる目的と効果と特徴は、添付の図面と共に、下記の明細書への参照によって、理解されるであろう。そしてこの図面内では、同じ部材は同じ番号が使用されている。
【発明を実施するための最良の形態】
【００１７】
図面、特に図１には、全体を通して参照符号１０によって表されている履物集合体が、示されている。履物集合体は、前部３０を有するフットベッド２０と、この前部に接続された後部４０とを有している。この後部４０は、キャビティ７０を含んだユニット６０を備えている。このキャビティ７０は、この中にクッション材の層７６を少なくとも１つ収容するように適用されている。履物集合体１０はまた、好ましくは、フットベッド２０の上に配置されるインソール９０を含んでいる。
【００１８】
このフットベッド２０は、可撓性の材料で作られている。好ましくは、この材料はゴムであり、より好ましくは、被覆ゴムである。
【００１９】
一実施形態においては、前部３０は、足の土ふまず部分に、アーチ３２を形成する。このアーチ３２は、後部４０の底面４５で終了する。好ましい実施形態においては、前部３０は、後部４０に粘着して接続される。好ましくは、これの接着剤は、にかわである。
【００２０】
前部３０は、可撓性の材料で作られている。望ましい可撓性を得るために、この前部３０は、好ましくは、例えばポリウレタンのような合成プラスチック材で作られる。
【００２１】
後部４０のユニット６０は、前部３０の方へ延長し、おおよそアーチ３２の部分で終了する。このユニット６０は、硬い材料もしくは実質的に硬い材料で作ることが出来る。好ましくは、このユニット６０は、硬く、軽量な構造を供給するために、木、コルク、プラスチック、これら以外の適切な材料、もしくはこれらの材料の組み合わせから作ることが出来る。好ましい実施形態においては、このユニット６０は、多孔性の気泡構造を有する。これは、ユニット６０を形成する材料もしくは複数の材料を層状に配置することによって、得ることが出来る。このユニット６０の多孔性の気泡構造はまた、このユニット６０を、発泡された硬化ポリウレタン、または発泡ポリ塩化ビニル、または発泡ポリスチレンで形成することで得ることが出来る。
【００２２】
上述したように、ユニット６０はまた、クッション材の層７６を中に収容するように適用されたキャビティ７０を有している。キャビティ７０内の層７６は、好ましくは図1並びに図２に示されるように、２つ以上のクッション材の層である。このクッション材の数と質と圧力とは、クッション性並びに衝撃吸収の度合いの違いを得るために、変更され得る。より好ましい実施形態においては、２つ以上の層からなる層７６は、底部層７２を有する。この底部層は、前部３０用の材料と同類の材料で作られたクッション層である。そして好ましくはまた、底部層７２は、この他の層に比べて実質的に短くなっており、この結果、図1並びに図２に示されるように、層７６が上方にか外向きに湾曲することを可能にしている。この湾曲の効果は、圧力が加えられてこの領域が圧縮されたとき、この湾曲によって窪みが解消されたり、軽減されたりするということである。
【００２３】
好ましくは、このクッション材は、ＥＶＡ（エチレン酢酸ビニル）もしくは弾力性と衝撃吸収の特性を示すこの他のいずれかの材料である。
【００２４】
好ましい実施形態においては、靴集合体１０は、また、インソール９０をも有している。このインソール９０は、好ましくは、例えば再剥離性のにかわもしくは接着剤などによる一般的な靴組立て法によって、フットベッド２０に適度に接続されている。この特徴は、キャビティ７０への容易なアクセスを可能とする。このインソール９０は、前部領域９１と踵領域９２とを有している。この前部領域９１は、踵領域９２が、フットベッド２０の後部４０と一致する一方で、フットベッド２０の前部３０と一致する。
【００２５】
インソール９０は、好ましくは、履物集合体１０の全体的はき心地と衝撃吸収性とを高めるために、材料の複数の層を有している。このインソール９０は、層９４と中間クッション層９６と発泡体層９８とライナ１００とを有している。この層９４は、好ましくはフットベッド２０の上に直接位置付けられ、また、好ましくはこのフットベッド２０の全長に渡って延長されている。
【００２６】
より好ましくは、この層９４は、キャビティ７０と一致するかアラインメントされるような、カットアウトもしくは空間を有している。この層９４は、多孔性の気泡構造である。好ましくは、この多孔性の気泡構造は、セルロースファイバーボード層である。より好ましくは、このファイバーボード層は、エラストマーである。このファイバーボード層９４は、甲皮が付着された表面を提供する。
【００２７】
踵領域９２内では、インソール９０は、層９４に付着された中央クッション層９６を有している。この層９６は、好ましくは、キャビティ７０に一致もしくは垂直にアラインメントされるインサート９７を有している。かくして、このインサート９７は、層７６と共に、踵領域９２内の快適でクッション性のある効果を与えるように働く。クッション層９６は、スポンジゴムもしくはラテックスから作られる。インサート９７は、ＰＯＲＯＮのような弾性の材料から作られる。
【００２８】
インソール９０はまた、発泡体層９８を有している。踵領域９２内で、この発泡体層が中央クッション層９５に付着される一方で、前部領域９１内では発泡体層９８が、ファイバーボード層９４に付着されている。発泡体層９８はまた、着用者に快適さとクッション性を与える。この発泡体層９８は、発泡材で出来ている。
【００２９】
ソックライナー１００は、発泡体層９８の上、即ち前部領域９１と踵領域９２との上に位置付けられている。好ましい実施形態においては、このソックライナー１００は、踵領域９２内に微孔性の材料を含んでいる。この材料は、好ましくはＰＯＲＯＮである。
【００３０】
本発明の他の実施形態においては、履物集合体１０は、一般的な礼服靴に使用することも出来る。
【００３１】
図２に描写された本発明の実施形態においては、フットベッド２０に沿って、また好ましくは前部３０に沿って位置付けられた少なくとも１つのキャビティ１１０が存在している。キャビティ７０と同様に、キャビティ１１０は、この中に１つ以上の層１１６を有することが出来る。このクッション材は、層７６が少なくてまた層７２を有さないという以外は、キャビティ７０の材料と同じであり得る。また、この層１１６の材料の数と質と圧力とは、クッション性並びに衝撃吸収の度合いの違いを得るために変更され得る。この実施形態の格別な効果は、キャビティ１１０内のクッション材は、更に履物集合体１０の衝撃吸収性を高めるということである。かくして、着用者が、大股で一歩前進するとき、圧力は最初に後部４０に加わり、そしてキャビティ７０にはめ込まれたクッション材によって吸収され、その後の自然な一歩に従ってこの圧力は、前部３０に加わり、そしてキャビティ１１０内のクッション材によって吸収される。
【００３２】
本発明が、これの好ましい形態に特に言及して説明されたことにより、添付の請求の範囲で規定されている本発明の精神と範囲とから逸脱することなく、様々な変更と変形がなされることが可能であるということが明らかであろう。
【図面の簡単な説明】
【００３３】
【図１】本発明の好ましい履物集合体の断面図。
【図２】本発明の履物集合体の他の実施形態の断面図。
【図１】
2005502400.tif 000003
【図２】
2005502400.tif 000004
【国際公開パンフレット】
2005502400.tif 000005
2005502400.tif 000006
2005502400.tif 000007
2005502400.tif 000008
2005502400.tif 000009
2005502400.tif 000010
2005502400.tif 000011
2005502400.tif 000012
2005502400.tif 000013
2005502400.tif 000014
2005502400.tif 000015
2005502400.tif 000016
2005502400.tif 000017
【国際調査報告】
2005502400.tif 000018